(57)【要約】  負荷（１４）を駆動するためのスイッチングデバイス（３００）が提供される。このスイッチングデバイスは、制御端子（３０４）を備え、この制御端子に結合された制御信号（３０５、Ｖｇａｔｅ）によって超えられるとスイッチングデバイスを伝導させる伝導閾値を有する。制御信号を生成するための制御回路（３０６、３０８、３１０、３１２、３１４、３１６、３１８、３２０、３２２）も提供される。この制御回路は、制御信号が伝導閾値を（Ｔ１’で）超える前の第１のスルーレート（Ｔ０とＴ１’の間）と制御信号が伝導閾値を超えた後の第２のスルーレートとを有する制御信号（３０５）を生成するように構成される。第１のスルーレートは第２のスルーレートよりも高い。
2016507955.tif 000002
【特許請求の範囲】
【請求項１】
負荷を駆動するためのスイッチングデバイスであって、制御端子と、前記制御端子に結合された制御信号によって超えられるとスイッチングデバイスを伝導させる伝導閾値とを有するスイッチングデバイスと、
前記制御信号を生成するための制御回路であって、前記制御信号は、前記制御信号が前記伝導閾値を超える前の第１のスルーレートと、前記制御信号が前記伝導閾値を超えた後の第２のスルーレートとを有し、前記第１のスルーレートが前記第２のスルーレートよりも速い、制御回路と、
前記伝導閾値に関連付けられたレベルに充電された後で前記スイッチングデバイスの前記制御端子に選択的に結合されたエネルギー蓄積デバイスと
を備える装置。
【請求項２】
前記スイッチングデバイスがトランジスタである、請求項１に記載の装置。
【請求項３】
前記トランジスタが電界効果トランジスタである、請求項２に記載の装置。
【請求項４】
前記制御端子が前記トランジスタのゲートすなわちベースノードである、請求項２に記載の装置。
【請求項５】
前記伝導閾値が電圧レベルである、請求項１に記載の装置。
【請求項６】
前記エネルギー蓄積デバイスがキャパシタである、請求項１に記載の装置。
【請求項７】
前記エネルギー蓄積デバイスがインダクタである、請求項１に記載の装置。
【請求項８】
前記伝導閾値に関連付けられた前記レベルにバイアスされ、前記エネルギー蓄積デバイスに選択的に結合されるように構成されたトランジスタをさらに備える、請求項１に記載の装置。
【請求項９】
制御信号に応答する制御端子を有する出力トランジスタのためのドライバ回路であって、
バイアス回路が前記制御端子に結合されると前記制御信号を前記出力トランジスタの伝導レベルに関連付けられたレベルに第１のレートで増やすために前記制御端子に選択的に結合されたエネルギー蓄積デバイスと、前記伝導レベルに関連付けられたレベルに前記エネルギー蓄積デバイスを充電するために前記エネルギー蓄積デバイスに選択的に結合された伝導基準閾値回路とを備えるバイアス回路と、
前記バイアス回路が前記制御端子から減結合されると、前記制御信号を、前記伝導レベルを超えて第２の、より低速のレートで増やすための充電回路と
を備えるドライバ回路。
【請求項１０】
前記バイアス回路が、前記出力トランジスタと同じタイプのトランジスタを備える、請求項９に記載の出力トランジスタドライバ回路。
【請求項１１】
負荷を駆動するためのスイッチングデバイスを用意するステップであって、前記スイッチングデバイスが、制御端子を有し、前記制御端子に結合された制御信号によって超えられると前記スイッチングデバイスを伝導させる伝導閾値を有する、用意するステップと、
エネルギー蓄積デバイスを、前記伝導閾値に関連付けられたレベルに前記エネルギー蓄積デバイスを充電する伝導閾値回路に結合することによって、前記エネルギー蓄積デバイスを充電するステップと、
前記エネルギー蓄積デバイスを前記制御端子に結合することによって、前記制御信号のレベルを第１のレベルから前記伝導閾値に関連付けられたレベルに第１のスルーレートで増加させるステップと、
前記制御信号の前記レベルを前記伝導閾値から第２のレベルに第２のスルーレートで増加させるステップであって、前記第１のスルーレートが前記第２のスルーレートよりも速い、増加させるステップと
を含む方法。
【請求項１２】
前記スイッチングデバイスを用意するステップが、トランジスタを用意するステップを含む、請求項１１に記載の方法。
【請求項１３】
前記トランジスタを用意するステップが、電界効果トランジスタを用意するステップを含む、請求項１２に記載の方法。
【請求項１４】
前記制御端子が前記トランジスタのゲートすなわちベースノードである、請求項１２に記載の方法。
【請求項１５】
前記伝導閾値、前記第１のレベル、前記第２のレベル、またはこれらの組合せが電圧レベルである、請求項１１に記載の方法。
【請求項１６】
前記エネルギー蓄積デバイスがキャパシタである、請求項１１に記載の方法。
【請求項１７】
前記エネルギー蓄積デバイスがインダクタである、請求項１１に記載の方法。
【請求項１８】
前記制御信号の前記レベルを前記伝導閾値から前記第２のレベルに増加させるステップが、ひとたび前記エネルギー蓄積デバイスが前記スイッチングデバイスの前記制御端子に結合されると前記エネルギー蓄積デバイスを充電するステップを含む、請求項１１に記載の方法。
【請求項１９】
前記エネルギー蓄積デバイスを充電するステップが、前記エネルギー蓄積デバイスを、前記伝導閾値に関連付けられた前記レベルにバイアスされたトランジスタに結合するステップを含む、請求項１１に記載の方法。
【発明の詳細な説明】
【技術分野】
【０００１】
[0001]本明細書で開示される主題は、一般に集積回路に関し、より詳細には、出力ドライバ回路のスイッチング遅延を減少させるための技法および回路に関する。
【背景技術】
【０００２】
[0002]ＦＣＣ規格または自動車規格などの業界標準は、回路の放射電磁エミッション（ｒａｄｉａｔｅｄ  ｅｌｅｃｔｒｏｍａｇｎｅｔｉｃ  ｅｍｉｓｓｉｏｎ）が一定の限界を下回ることを要求することが多い。スイッチのスイッチング時間を調整することによって、スイッチの出力信号と関連付けられた放射電磁エミッションが減少可能である。いくつかのスイッチ回路は、制御信号の立上りまたは立下りを減速させることによって、スイッチング時間を減少させる。
【０００３】
[0003]共通ソース構成においてスイッチとして機能する電界効果トランジスタ（ＦＥＴ）を備える出力ドライバを考えてみる。ＦＥＴのゲートにおける制御信号は、ＦＥＴをオンまたはオフにし、出力（ドレインにおける）をソースに効果的に結合させる。ゲートにおける制御信号の立上りまたは立下りを減速させることによって、ＦＥＴのスイッチング時間が減速し、したがって、放射エミッションを減少させることができる。しかしながら、制御信号の立上りまたは立下りを減速させることは、望ましくないスイッチング遅延を生じさせることもある。
【発明の概要】
【発明が解決しようとする課題】
【０００４】
本発明はこのような課題を解決するものである。
【課題を解決するための手段】
【０００５】
[0004]負荷を駆動するためのスイッチングデバイスが提供される。このスイッチングデバイスは、制御端子を備え、この制御端子に結合された制御信号によって超えられるとスイッチングデバイスを伝導させる伝導閾値を有する。制御信号を生成するための制御回路も提供される。この制御回路は、制御信号が伝導閾値を超える前の第１のスルーレートと制御信号が伝導閾値を超えた後の第２のスルーレートとを有する制御信号を生成するように構成される。第１のスルーレートは第２のスルーレートよりも高くてよい。
【０００６】
[0005]スイッチングデバイスは、電界効果トランジスタなどのトランジスタであってよく、制御端子はトランジスタのゲートすなわちベースノードである。伝導閾値は電圧レベルとすることができる。エネルギー蓄積デバイスは、伝導閾値に関連付けられたレベルに充電された後でスイッチングデバイスの制御端子に選択的に結合され得る。いくつかの実施形態では、エネルギー蓄積デバイスは、キャパシタまたはインダクタである。トランジスタは、伝導閾値に関連付けられたレベルにバイアスされ、エネルギー蓄積デバイスに選択的に結合され得る。
【０００７】
[0006]制御信号に応答して制御端子を有する出力トランジスタのためのドライバ回路であって、バイアス回路が制御端子に結合されると制御信号を出力トランジスタの伝導レベルに関連付けられたレベルに第１のレートで増やすために制御端子に選択的に結合されたバイアス回路と、このバイアス回路が制御端子から減結合されると、制御信号を、伝導レベルを超えて第２の、より低速のレートで増やすための充電回路とを含む、ドライバ回路も説明される。バイアス回路は、出力トランジスタと同じタイプのトランジスタを備えることがある。
【０００８】
[0007]負荷を駆動するためのスイッチングデバイスを用意することであって、このスイッチングデバイスは、制御端子を有し、この制御端子に結合された制御信号によって超えられるとスイッチングデバイスを伝導させる伝導閾値を有する、用意すること、制御信号のレベルを第１のレベルから伝導閾値に関連付けられたレベルに第１のスルーレートで増加させること、および、制御信号のレベルを伝導閾値から第２のレベルに第２のスルーレートで増加させることであって、第１のスルーレートは第２のスルーレートよりも速い、増加させることを含む方法も説明される。
【０００９】
[0008]スイッチングデバイスを用意することは、電界効果トランジスタなどのトランジスタを用意することを含むことができる。制御端子は、トランジスタのゲートすなわちベースノードであってよい。いくつかの実施形態では、伝導閾値、第１のレベル、第２のレベル、またはこれらの組合せが電圧レベルである。方法は、エネルギー蓄積デバイスがキャパシタまたはインダクタである場合などに、エネルギー蓄積デバイスを、伝導閾値に関連付けられたレベルに充電することを含むことができる。
【００１０】
[0009]制御信号のレベルを第１のレベルから伝導閾値に増加させることは、スイッチングデバイスの制御端子をエネルギー蓄積デバイスに結合することを含むことができ、制御信号のレベルを伝導閾値から第２のレベルに増加させることは、ひとたびエネルギー蓄積デバイスがスイッチングデバイスの制御端子に結合されるとエネルギー蓄積デバイスを充電することを含むことができる。エネルギー蓄積デバイスを充電することは、エネルギー蓄積デバイスを、伝導閾値に関連付けられたレベルにバイアスされたトランジスタに結合することを含むことができる。
【００１１】
[0010]前述の特徴は、以下の図面の説明からより十分に理解されよう。
【図面の簡単な説明】
【００１２】
【図１】[0011]従来の出力ドライバ回路を示す概略図である。
【図２】[0012]図１のドライバ回路の出力を示すグラフである。
【図３】[0013]出力ドライバ回路の一実施形態の概略図である。
【図３Ａ】[0014]出力ドライバ回路の一実施形態の概略図である。
【図３Ｂ】[0015]出力ドライバ回路の一実施形態の概略図である。
【図４Ａ】[0016]図３または図３Ａに示された出力ドライバ回路の実施形態によって発生され得る信号のグラフである。
【図４Ｂ】[0017]図３Ｂに示された出力ドライバ回路の実施形態によって発生され得る信号のグラフである。
【図５】[0018]出力ドライバ回路の一実施形態の概略図である。
【図６】[0019]負荷を駆動するためのプロセス６００を示す流れ図である。
【発明を実施するための形態】
【００１３】
[0020]図面中の同じ数字は、同じ要素を表すことができる。
【００１４】
[0021]本明細書で使用されるとき、「磁界検知素子」という用語は、磁界を検知できるさまざまな電子素子を説明するために使用される。磁界検知素子は、限定するものではないが、ホール効果素子であってもよいし、磁気抵抗素子であってもよいし、磁気トランジスタであってもよい。知られているように、さまざまなタイプのホール効果素子、たとえば、平面ホール素子、垂直ホール素子、および円形垂直ホール（ＣＶＨ：Ｃｉｒｃｕｌａｒ  Ｖｅｒｔｉｃａｌ  Ｈａｌｌ）素子がある。同様に知られているように、異なるタイプの磁気抵抗素子、たとえば、インジウムアンチモン（ＩｎＳｂ）などの半導体磁気抵抗素子、巨大磁気抵抗（ＧＭＲ）素子、異方性磁気抵抗素子（ＡＭＲ）、トンネル磁気抵抗（ＴＭＲ）素子、および磁気トンネル接合（ＭＴＪ）がある。磁界検知素子は、単一の素子であってもよいし、あるいは、さまざまな構成、たとえば、ハーフブリッジまたはフル（ホイートストン）ブリッジで構成された２つ以上の磁界検知素子を含んでもよい。デバイスタイプおよび他の用途要件に応じて、磁界検知素子は、シリコン（Ｓｉ）もしくはゲルマニウム（Ｇｅ）などのＩＶ族半導体材料、またはヒ化ガリウム（ＧａＡｓ）もしくはインジウム化合物たとえばインジウムアンチモン（ＩｎＳｂ）のようなＩＩＩ−Ｖ族半導体材料から作製されたデバイスであってよい。
【００１５】
[0022]知られているように、上記で説明した磁界検知素子によっては、磁界検知素子を支持する基板と平行な最大感度の軸を有する傾向があるものもあれば、磁界検知素子を支持する基板に垂直な最大感度の軸を有する傾向があるものもある。特に、平面ホール素子は、基板に垂直な感度の軸を有する傾向があるが、金属を主としたまたは金属の磁気抵抗素子（たとえば、ＧＭＲ、ＴＭＲ、ＡＭＲ）および垂直ホール素子は、基板と平行な感度の軸を有する傾向がある。
【００１６】
[0023]本明細書で使用されるとき、「磁界センサ」という用語は、一般に他の回路と組み合わせて、磁界検知素子を使用する回路を説明するために使用される。磁界センサは、限定されるものではないが、磁界の方向の角度を検知する角度センサ、電流搬送導体によって搬送される電流によって生成される磁界を検知する電流センサ、強磁性物体の近接性を検知する磁気スイッチ、通過する強磁性物品、たとえばリング磁石の磁区を検知する回転検出器、鉄ターゲットを検知するためにバックバイアス場を使用する磁界センサ、および磁界の磁界密度を検知する磁界センサを含むさまざまな用途で使用される。
【００１７】
[0024]磁界センサは、磁界センサの出力信号を駆動できるドライバ回路を含むことが多い。これらのドライバ回路は、磁界センサが磁気ターゲットを検知すると高い信号レベルと低い信号レベルを切り替える出力信号を発生することが多い。場合によっては、磁界センサが設置された場所に応じて、ドライバ回路は、長いワイヤハーネスまたはケーブルハーネス全体にわたって出力信号を駆動しなければならないことがある。たとえば、磁界センサが乗り物の伝動装置内（たとえばカムシャフト上）に設置される場合、磁界センサから中央プロセッサまで延びるワイヤハーネスは、長さが数フィートまたは数メートルであってよい。そのような長いケーブルは、アンテナのように機能することがある。たとえば、ドライバ回路が、長いケーブル全体にわたって信号を駆動する場合、ケーブルは、電磁エミッションを放射することがある。特に、長いケーブルが、放射エミッションが結合できる他の回路または導体の近傍に設置される場合、そのようなエミッションは望ましくない。
【００１８】
[0025]図１は、従来技術の電子回路１０の概略図である。電子回路は、負荷１４に結合された出力端子１２を有することがある。この例では、負荷１４は、プルアップ抵抗を含んでよい。トランジスタ１６は、出力端子１２に結合されたドレイン端子１８と接地に結合されたソース端子２０とを有する共通ソース構成で構成される。トランジスタ１６のゲート端子２２は、キャパシタ２６の端子２４に結合される。キャパシタの他方の端子は接地に結合される。キャパシタの端子２４に結合された電流源２８は、キャパシタを充電することができる。端子２４と接地の間に結合されたスイッチ３０が示されている。
【００１９】
[0026]動作の際、電流源２８はキャパシタ２６を充電する。キャパシタ２６にかかる電圧がスイッチの閾値電圧に到達すると、トランジスタ１６は伝導し、出力端子１２は接地に近づく。ひとたびキャパシタ２６が充電されると、スイッチ３０は、キャパシタ２６を放電するために閉じることが可能である。これによって、トランジスタ１６がオフになり、したがって、負荷１４は、出力端子１２における電圧をハイにプルすることができる。キャパシタ２６を充電および放電することによって、電子回路１０は、出力端子１２において交流電圧を生成することができる。この交流電圧は、回路１０の出力として使用することができる。
【００２０】
[0027]トランジスタ１６が切り替わるレートは、回路１０によって発生される電磁エミッションに影響を与えることができる。たとえば、出力端子１２における電圧が切り替わるとき、出力端子１２と負荷１４の間に結合された導体３２４は、アンテナのように機能することがある。導体３２上の交流電圧波形は、放射電磁エミッションを引き起こすことがある。
【００２１】
[0028]多くの場合、電子回路１０によって発生される電磁エミッションを制限することが望ましい。特定のＦＣＣ規格または自動車規格などの特定の準拠規格は、電磁エミッションが特定のレベルの範囲内にあることを要求する。そのような規格を遵守するために、電流源２８によって供給される電流の量を制御することができる。たとえば、電流源２８が比較的低い電流を発生させる場合、キャパシタ２６は、比較的にゆっくりと充電することがある。これは、導体３２上での電圧波形（すなわち出力信号）の上昇時間または下降時間がより長くかかるという結果になることがあり、これは、放射エミッションの低下をもたらすことがある。しかしながら、キャパシタ２６をゆっくりと充電することも、出力のスイッチング時間の遅延が増える結果になることがある。
【００２２】
[0029]図２は、従来技術の、出力端子１２における電圧２０２を表す波形２００およびゲート端子２２における電圧２０４を表す波形２０１のグラフである。水平軸は時間を表す。波形２００は、トランジスタ１６のスイッチング閾値２０６も含む。
【００２３】
[0030]時刻Ｔ０では、キャパシタ２６は充電を開始し、電圧２０４は上昇を開始する。時刻Ｔ１の前は、電圧２０４はスイッチング閾値２０６を下回る。したがって、Ｔ０とＴ１の間の時間期間中、トランジスタ１６はオフであり、出力端子１２における電圧２０２はハイである。
【００２４】
[0031]時刻Ｔ１の後、電圧２０４は伝導閾値２０６を超え、トランジスタは伝導を開始する。電圧２０４は比較的ゆっくりした速さで上昇しているので、トランジスタ１６は、オフ（すなわち非伝導状態）からオン（すなわち飽和状態）に比較的ゆっくりと切り替わることができる。これは、出力信号２０２の傾斜２０８が比較的浅いという結果になることがある。急な傾斜とは対照的に、この比較的浅い傾斜２０８は、回路１０によって発生される電気エミッションを減少させる助けとなることができる。
【００２５】
[0032]しかしながら、電圧２０４は比較的ゆっくりと上昇するので、これにより、スイッチング時間の遅延が引き起こされる。トランジスタ１６は、電圧２０４がスイッチング閾値２０６を超えるまで伝導を開始せず、このことにより、遅延２１０が発生する。この遅延２１０は、出力端子１２におけるデータの誤りを引き起こすことができる。たとえば、回路１０が、伝導のスピード、位置、または方向を監視するために乗り物の中に設置される場合、遅延２１０は、電子回路１０によって発生される不正確なスピード、位置、または方向のデータをもたらすことができる。
【００２６】
[0033]図３は、負荷１４を駆動するための電子回路３００の概略図である。一実施形態では、電子回路３００は、磁界センサの出力ドライバとすることができる。例として、磁界センサは、たとえばカムシャフトまたはホイールのスピード、位置、および／または方向を検出するために、乗り物の中に設置されることがある。ホイールまたはカムシャフト上の、またはこれに結合された、磁気ターゲットまたは歯などのターゲットの機構が磁界センサを通過するとき、磁界センサは、それぞれホイールの回転のスピードまたはカムシャフトの位置を示すために出力を駆動することがある。一実施形態では、磁界センサは、出力を駆動できる、電子回路３００などの出力ドライバ回路を含むことがある。
【００２７】
[0034]電子回路３００は、出力端子３０３に結合されたスイッチングデバイス３０２を含む。スイッチングデバイス３０２は、制御端子３０４を有することがある。制御端子３０４における信号３０５が、スイッチングデバイス３０２の伝導閾値を一方向に越える（たとえば、ローからハイに越える）とき、スイッチングデバイスは、オンになる（すなわち伝導する）ことができる。信号３０５が伝導閾値を反対方向に越える（たとえば、ハイからローに越える）とき、スイッチングデバイス３０２は、オフになる（すなわち、伝導を止める）ことができる。
【００２８】
[0035]図３では、スイッチングデバイス３０２はｎチャネルＦＥＴとして示されており、制御端子３０４はＦＥＴのゲート端子であり、制御信号３０５はＦＥＴのゲートにおける電圧信号である。そのような一実施形態では、ＦＥＴの伝導閾値はＦＥＴの閾値電圧であってよい。ゲートにおける電圧信号３０５がＦＥＴの閾値電圧を超えるとき、ＦＥＴは、オンおよびオフになることができる。しかしながら、スイッチングデバイス３０２は、制御端子３０４によって制御可能な任意のタイプのスイッチングデバイスであってよい。たとえば、スイッチングデバイス３０２は、ｎチャネルＦＥＴまたはｐチャネルＦＥＴ、論理ゲート、ＢＪＴ、継電器などであってよい。一実施形態では、スイッチングデバイス３０２が複数のスイッチングデバイスを備えることがある。たとえば、スイッチングデバイス３０２は、並列にまたは直列に配置された複数のＦＥＴ、論理ゲート、ＢＪＴ、継電器など、またはそれらの組合せを含んでよい。そのような一実施形態では、複数のスイッチングデバイスは、単一の制御信号３０５によって制御され得る。あるいは、制御信号３０５は、各々がスイッチングデバイスのうちの１つまたは複数を制御する複数の制御信号を含むことがある。
【００２９】
[0036]制御端子３０４に結合された制御信号３０５は、電圧信号であってもよいし、電流信号であってもよいし、スイッチングデバイス３０２を制御できる他の任意のタイプの信号であってもよい。スイッチングデバイス３０２が継電器である場合、制御信号３０５は、継電器を比較的ゆっくりと開閉させることができる、ＰＷＭ信号などのパルス化された信号であってよいことに留意されたい。
【００３０】
[0037]電子回路３０２は、電荷を蓄積できるキャパシタ３０６（すなわち一種のエネルギー蓄積デバイス）も含む。キャパシタ３０６によって蓄積された電荷が増えるにつれて、キャパシタ３０６にかかる電圧も増える。キャパシタは、スイッチ３０８によって制御端子３０４に選択的に結合可能である。第２のスイッチ３１０は、キャパシタ３０６を伝導閾値基準回路３１２に選択的に結合することができる。結合されると、伝導閾値基準回路３１２は、キャパシタを、スイッチングデバイス３０２の伝導閾値に関連する電圧に充電することがある。いくつかの実施形態では、伝導閾値基準回路３１２は、キャパシタを、スイッチ伝導閾値のレベルにほぼ充電することがある。他の実施形態では、伝導閾値基準回路３１２は、キャパシタを、スイッチ伝導閾値よりも若干高いまたは低いレベルに充電することがある。
【００３１】
[0038]制御回路３１４は、スイッチ３１０および３１８に結合された制御信号３１６を提供する。スイッチ制御信号３１６は、制御回路によってアサートされると、スイッチ３１０および３１８を開閉することができる。スイッチ制御信号３１６は、スイッチ３０８も開閉することができ、スイッチ３０８は、インバータ３２０によって提供される制御信号３１６が反転されたものに応答する。インバータ３２０により、スイッチ３１０が閉じられると、スイッチ３０８が開かれることがあり、その逆も同様である。実施形態では、スイッチ３１０、３０８、および３１８は、電子スイッチであってもよいし、トランジスタであってもよいし、電気機械的スイッチであってもよいし、機械的スイッチであってもよいし、電気接続を作成および／または切断できる他の任意のタイプのスイッチであってもよい。
【００３２】
[0039]電流源３２２は制御端子３０４に結合され、スイッチ３０８によってキャパシタ３０６に選択的に結合可能である。
【００３３】
[0040]動作の際、伝導閾値基準回路３１２は、基準電圧信号３２３を発生することがある。基準電圧信号３２３は、スイッチングデバイス３０２の伝導閾値と関連付けられ得る。たとえば、いくつかの実施形態では、基準電圧信号３２３は、スイッチ伝導閾値にほぼ等しくてよい。他の実施形態では、基準電圧信号３２３は、必要に応じてスイッチングデバイス３０２の伝導閾値より高くても低くてもよい。
【００３４】
[0041]一実施形態では、スイッチングデバイス３０２は、スイッチング閾値のところで伝導を開始するが、制御端子３０４における電圧が伝導閾値よりも若干高いレベルに到達するまで完全にオンになるわけではない場合、基準電圧信号３２３は、スイッチングデバイス３０２を完全にオンにするその電圧に設定されてよい。あるいは、基準電圧信号３２３は、伝導閾値に近いがスイッチングデバイス３０２をオンにしない電圧レベルに設定されてもよい。
【００３５】
[0042]制御回路３１４が制御信号３１６をアサートすると、スイッチ３１０は、キャパシタ３０６を閉じて伝導閾値基準回路３１２に結合することができる。インバータ３２０は制御信号３１６を反転させ、したがって、スイッチ３０８が開いて、キャパシタ３０６を制御端子３０４から減結合する。制御信号３１６はスイッチ３１８も閉じ、したがって、制御端子３０４は接地に結合される。制御端子３０４が接地に結合されるので、スイッチングデバイス３０２は非伝導状態であり、出力端子３０３における電圧は、負荷１４によってハイにプルされ得る。
【００３６】
[0043]キャパシタ３０６が伝導閾値基準回路３１２に結合されている間、伝導閾値基準回路３１２は、キャパシタ３０６にかかる電圧が基準電圧信号３２３の値に実質的に等しくなるまで、キャパシタ３０６を充電することができる。伝導閾値基準回路３１２に結合される前、キャパシタ３０６にかかる電圧が電圧基準信号３１２よりも大きい場合、伝導閾値基準回路３１２は、キャパシタ３０６にかかる電圧が電圧基準信号３２３に等しくなるまで、キャパシタ３０６からの電流を下げる（すなわちキャパシタ３０６を放電する）ことができる。キャパシタ３０６にかかる電圧が電圧基準信号３２３よりも小さい場合、伝導閾値基準回路３１２は、キャパシタ３０６にかかる電圧が電圧基準信号３２３に等しくなるまで、電流をキャパシタ３０６に供給する（すなわちキャパシタ３０６を充電する）ことができる。
【００３７】
[0044]制御回路３１４が制御信号３１６をディアサートすると、スイッチ３０８は、（この時点では伝導閾値のレベルに充電された）キャパシタ３０６を制御端子３０４に結合することができる。また、スイッチ３１８およびスイッチ３１０は開くことができ、したがって、制御端子３０４は接地から分離され、キャパシタ３０６は伝導閾値基準回路３１２から分離される。
【００３８】
[0045]スイッチ３０８を閉じて、キャパシタ３０６を制御端子３０４に結合することによって、制御端子３０４における電圧が、キャパシタ３０６にかかる電圧と同じまたは類似のレベル、すなわち電圧基準信号３２３と同じまたは類似のレベルまで急速に増加することができる。一実施形態では、キャパシタ３０６にかかる電圧が伝導閾値に等しい場合、キャパシタ３０６を制御端子３０４に結合することによって、制御端子３０４における電圧は伝導閾値のレベルまで急速に上昇する。キャパシタ３０６が、伝導閾値に近いまたは伝導閾値寸前のレベルに充電された場合、キャパシタを制御端子３０４に結合することによって、スイッチングデバイスは、オン寸前になることができる。このようにして制御端子３０４における電圧を伝導閾値のレベルに、またはその近くに、急速に増加させることによって、以下で説明するスイッチング遅延を減少させることができる。
【００３９】
[0046]スイッチ３１０が開かれ、スイッチ３０８が閉じられている場合、電流源３２２はキャパシタ３０６に結合され、引き続きキャパシタ３０６を充電することができる。キャパシタ３０６が引き続き充電するとき、キャパシタ３０６にかかる電圧は（したがって制御端子３０４における電圧も）、伝導閾値よりも大きいレベルまで上昇する。制御端子３０４における電圧が伝導閾値を超えるとき、スイッチングデバイス３０２はオンになり、伝導を開始し、したがって、出力端子３０３における電圧を接地にプルすることができる。
【００４０】
[0047]一実施形態では、電流源３２２は、キャパシタ３０６を比較的ゆっくりと充電するように構成され得る。したがって、制御端子３０４における電圧は比較的ゆっくりと上昇することがあり、スイッチングデバイス３０２は、非伝導状態から伝導状態に比較的ゆっくりと切り替わることがある。これは、出力端子３０３における電圧のスルーレートが比較的にゆっくりと下がるという結果になる可能性があり、このことによって、出力端子３０３における電圧の変化によって引き起こされる放射エミッションが減少することがある。電流源３２２がキャパシタを充電するレートは、回路３００の設計要件に応じて、適切なレートに設定可能である。一実施形態では、電流源３２２は、製造中および／または動作中に調整可能な可変電流源であってよい。
【００４１】
[0048]図３Ａは、負荷１４を駆動するための電子回路３５０の概略図である。電子回路３５０は、図３の電子回路３００と同じかまたはこれに類似していてもよいし、図３の電子回路３００の一代替実施形態であってもよい。
【００４２】
[0049]図示のように、伝導閾値基準回路３１２は、電流源３５２と、トランジスタ３５４とを含むことができる。トランジスタ３５４のゲート端子は、トランジスタ３５４のドレイン端子に結合されてよく、したがって、電流が電流源３５２からトランジスタ３５４を通って接地に流れるとき、トランジスタにかかる電圧（すなわちＶｄｓ電圧）はトランジスタ３５４の閾値電圧に等しい。キャパシタ３０６を充電しているとき、キャパシタ３０６にかかる電圧が閾値電圧よりも大きい場合、トランジスタ３５４は、キャパシタにかかる電圧が閾値電圧に等しくなるまで、キャパシタ３０６からの電流を下げる。同様に、キャパシタ３０６にかかる電圧がＶｄｓ電圧よりも小さい場合、電流源３５２は、キャパシタ３０６にかかる電圧が閾値電圧に等しくなるまで、キャパシタを充電する。
【００４３】
[0050]一実施形態では、トランジスタ３５４は、トランジスタ３０２と同じタイプのトランジスタであってよい。そのような一実施形態では、トランジスタ３５４のＶｄｓ電圧は、トランジスタ３０２の閾値電圧（すなわち伝導閾値）に実質的に等しい。したがって、キャパシタ３０６がトランジスタ３５４に結合されると、キャパシタ２０６は、トランジスタ３０２の伝導閾値に実質的に等しい電圧レベルに充電される。
【００４４】
[0051]他の実施形態では、伝導閾値基準回路３１２は、分圧器、基準電圧、電圧調整器、またはキャパシタ３０６をスイッチングデバイス３０２の伝導閾値に関連付けられた電圧に充電できる他の回路を含んでもよい。
【００４５】
[0052]図３Ｂは、負荷１４を駆動するための電子回路３７０の概略図である。電子回路３７０は、図３の電子回路３００と同じかまたはこれに類似していてもよいし、図３の電子回路３００の一代替実施形態であってもよい。
【００４６】
[0053]電子回路３７０は、キャパシタ３０６を使用して信号３０５の立下りエッジを生成するように構成され得る。電子回路３７０では、電流源３７２は、スイッチ３０８が閉じられているとき、キャパシタ３０６からの電流を下げるために結合される。一実施形態では、電流源３７２は可変電流源とすることができる。電流源３７２により供給される電流を調整することによって、キャパシタ３０６にかかる電圧のスルーレートを変更することができる。また、スイッチ３７４が制御端子３０４と電圧源３７６の間に結合され、したがって、スイッチ３７４が閉じているとき、制御端子３０４が電圧源３７６に結合される。一実施形態では、電圧源３７６は、制御端子３０４に印加されたときにスイッチングデバイス３０２をオンにするのに十分な電圧を提供することができる。
【００４７】
[0054]動作の際、制御回路３１４が制御信号３１６をアサートするとき、スイッチ３１０および３７４が閉じ、スイッチ３０８が開く。スイッチ３１０が閉じ、スイッチ３０８が開くと、キャパシタ３０６は伝導閾値基準回路３１２に結合され、このことは、キャパシタ３０６を、スイッチ伝導閾値に関連付けられたレベルに充電させる。スイッチ３７４が閉じると、スイッチ３７４は制御端子３０４を電圧源３７６に結合し、したがって、スイッチングデバイス３０２をオンにし、出力端子３０３における電圧を接地にプルする。
【００４８】
[0055]制御回路３１４が制御信号３１６をディアサートするとき、スイッチ３１０および３７４が開き、スイッチ３０８が閉じる。スイッチ３７４が開くので、制御端子３０４は電圧源３７６から分離される。スイッチ３０８が閉じるので、キャパシタ３０６（この時点では、スイッチ伝導閾値に関連付けられたレベルに充電された）が制御端子３０４に結合される。キャパシタ３０６を制御端子３０４に結合することによって、制御端子３０４における電圧は、電圧源３７６の電圧から伝導閾値のレベルの近くに減少させる。一実施形態では、キャパシタ３０６は、キャパシタ３０６が制御端子３０４に結合されると、スイッチングデバイス３０２はスイッチング寸前にされるがまだオフにされないように、伝導閾値よりも若干高いレベルに充電可能である。次いで、電流源３７２は、キャパシタ３０６の放電を開始し、したがって、制御端子３０４における電圧を比較的遅いレートで減少させることによって、スイッチングデバイス３０２はオフになる。電流源３７２を使用してキャパシタ３０６を遅いレートで放電することは、スイッチングデバイス３０２のオン状態からオフ状態への遷移をゆっくりと行わせる。これにより、出力端子３０３における電圧のスルーレートを低下させ、電子回路３７０によって放射される電気エミッションを減少させることができる。
【００４９】
[0056]一実施形態では、伝導閾値基準回路３１２は、キャパシタ３０６を伝導閾値よりも上の（または、必要に応じて、それよりも下の）レベルに充電する電圧基準信号３２３Ｂを発生させ、したがって、キャパシタ３０６が制御端子３０４に結合されると、スイッチングデバイス３０２は、スイッチング前に遅延を減少させるために、急速にスイッチング寸前にされる。次いで、電流源（図３Ｂの電流源３７２または図３の電流源３２２）は、スイッチングデバイス３０２が比較的ゆっくりと伝導を開始するように、キャパシタ３０６を比較的遅いレートで引き続き充電または放電することができる。
【００５０】
[0057]図４Ａは、図３の回路３００（すなわち図３Ａの電子回路３５０）によって生成され得る波形を示すグラフである。図４Ａでは、垂直軸は電圧を表し、水平軸は時間を表す。波形４００は、出力端子３０３における出力信号３２４を示す。波形４００は、従来技術による回路１０（図１および図２を参照されたい）によって発生される出力信号２０２も表示する。波形４０２は、スイッチングデバイス３０２の信号３０５（すなわち制御端子３０４における電圧）および伝導閾値４０４を表示する。波形４０６は、制御回路３１４によって発生される制御信号３１６を示す。
【００５１】
[0058]時刻Ｔ０の前に、制御信号３１６がアサートされる。また、時刻Ｔ０の前に、キャパシタ３０６は伝導閾値基準回路３１２に結合され、信号３０５は、閉じられたスイッチ３１６によって接地にプルされる。
【００５２】
[0059]時刻Ｔ０では、制御回路３１４が制御信号３１６をディアサートし、このことが、スイッチ３１０および３１８を開き、スイッチ３０８を閉じ、そのため、キャパシタ３０６を制御端子３０４に結合する。キャパシタ３０６が、伝導閾値４０４に関連付けられたレベルに充電されるので、キャパシタ３０６を制御端子３０４に結合することによって、時刻Ｔ０とＴ１’の間に示されるように、信号３０５が伝導閾値のレベルまで急速に増加する。このことによって、スイッチングデバイス３０２が急速でスイッチング寸前になり、図２に示されるスイッチング遅延２１０が減少する。
【００５３】
[0060]信号３０５が伝導閾値に増加した後、電流源３２２は引き続きキャパシタ３０６を充電し、これによって、時刻Ｔ１’後の波形４０２に示されるように、信号３０５のレベルが引き続き、比較的遅いレートで伝導閾値４０４を超えて増える。信号３０５が伝導閾値を超えて増えるので、スイッチングデバイス３０２はオンになり、出力信号３２４をローにプルする。
【００５４】
[0061]図４Ｂは、図３Ｂの回路３７０によって生成され得る波形を示すグラフである。図４Ｂでは、垂直軸は電圧を表し、水平軸は時間を表す。波形４０８は、出力端子３０３における出力信号３２４を示す。波形４１０は、スイッチングデバイス３０２の信号３０５（すなわち制御端子３０４における電圧）および伝導閾値４０４を表示する。波形４１２は、制御回路３１４によって発生される制御信号３１６を表示する。
【００５５】
[0062]時刻Ｔ０の前に、制御信号３１６がアサートされる。また、時刻Ｔ０の前に、キャパシタ３０６は伝導閾値基準回路３１２に結合され、信号３０５は、スイッチ３７４によってハイにプルされる。
【００５６】
[0063]時刻Ｔ０では、制御回路３１４が制御信号３１６をディアサートし、このことが、スイッチ２１０および３７４を開き、スイッチ３０８を閉じ、キャパシタ３０６制御端子３０４を結合する。キャパシタ３０６が、伝導閾値４０４に関連付けられたレベルに充電されるので、キャパシタ３０６を制御端子３０４に結合することによって、時刻Ｔ０とＴ１”間に示されるように、信号３０５が伝導閾値４０４に関連付けられたレベルまで急速に減少する。このことによって、スイッチングデバイス３０２が急速でスイッチング寸前になり、従来の構成と比較して、スイッチング遅延が減少する。
【００５７】
[0064]信号３０５が、伝導閾値４０４に関連付けられたレベルに増加した後、電流源３７２は引き続きキャパシタ３０６を放電し、これによって、時刻Ｔ１”後の波形４１０に示されるように、信号３０５のレベルが引き続き、比較的遅いレートで伝導閾値４０４を下回って減る。信号３０５が伝導閾値を下回って減るので、スイッチングデバイス３０２はオフになり、出力信号３２４が負荷１４によってハイにプルされることを可能にする。
【００５８】
[0065]図５は、図４Ａに示される信号３０５の立上りエッジと図４Ｂに示される信号３０５の立下りエッジの両方を生成できる電子回路５００の一実施形態を示す。
【００５９】
[0066]電子回路５００は、制御信号３０５の立下りエッジを生成する際のための第１の基準電圧信号５０４および制御信号３０５の立上りエッジを生成する際に使用するための第２の基準電圧信号５０６を発生できる伝導閾値基準回路５０２を含むことができる。第１の基準電圧信号５０４は、上記で図３に関して説明した基準電圧信号３２３と同じかまたはこれに類似であってよい。第２の基準電圧信号５０６は、上記で図３Ｂに関して説明した基準電圧信号３２３Ｂと同じかまたはこれに類似であってよい。
【００６０】
[0067]電子回路５００は、スイッチ５１０を介して第１の電圧基準信号５０４に選択的に結合された第１のキャパシタ５０８と、スイッチ５１４を介して第２の電圧基準信号５０６に選択的に結合された第２のキャパシタ５１２とを含むことができる。キャパシタ５０８およびキャパシタ５１２はまた、それぞれスイッチ５１６およびスイッチ５１８を介して制御端子３０４に選択的に結合され得る。
【００６１】
[0068]電流源５２０は、スイッチ５２２を介して制御端子３０４に結合され得る。電流源５２０は、図３に示される電流源３２２と同じまたはこれと類似であってよい。電流シンク５２４は、スイッチ５２６を介して制御端子３０４に結合され得る。電流シンクは、図３Ｂに示される電流シンク３７２と同じまたはこれと類似であってよい。
【００６２】
[0069]制御回路３１４は、制御信号５２８を生成するために結合され得る。制御信号５２８は、スイッチ５１０、スイッチ５１８、およびスイッチ５２２に結合され得る。制御信号５２８は、スイッチ５２８、５１０、および５１８を開閉するように動作することができる。
【００６３】
[0070]インバータ３２０は、制御信号５２８を受け取り、反転された制御信号５３０を発生させるために結合され得る。反転された制御信号５３０は、スイッチ５１４、スイッチ５１６、およびスイッチ５２６に結合され得る。反転された制御信号５３０は、スイッチ５１４、５１６、および５２６を開閉するように動作することができる。
【００６４】
[0071]動作の際、制御信号５２８がアサートされると、電子回路は、信号３０５の立上りエッジを生成することができる。制御信号５２８は、キャパシタ５１２および電圧源５２０を制御端子３０４に結合するために、スイッチ５１８およびスイッチ５２２を閉じることができる。スイッチ５１８を閉じる前、キャパシタ５１２は、電圧基準信号５０６によって、スイッチングデバイス３０２の伝導閾値に関連付けられたレベルに充電されている可能性がある。電圧基準信号５０６は、キャパシタ５１２を、スイッチングデバイス３０２の伝導閾値よりも若干低いレベルに充電することができる。これによって、キャパシタ５１２は、制御端子３０４に結合されると、スイッチングデバイスをオン寸前にすることができる。
【００６５】
[0072]スイッチ５１８が閉じると、キャパシタ５１２は、制御端子３０４における電圧を、伝導閾値に関連付けられたレベルまで第１のスルーレートで急速に増加することができる。その後、電流源５２０はキャパシタ５１２を充電することができ、したがって、信号３０５は比較的遅いレートで立ち上がり、スイッチングデバイスは伝導を開始する。
【００６６】
[0073]制御信号５２８は、キャパシタ５０８を電圧基準信号５０４に結合するために、スイッチ５１０を閉じることもできる。電圧基準信号５０４は、スイッチングデバイス３０２の伝導閾値に関連付けられた電圧を提供することができる。一実施形態では、電圧基準信号５０４は伝導閾値よりも若干高い電圧を提供し、したがって、キャパシタ５０８は、制御端子３０４に結合されると、スイッチングデバイス３０２をオフ寸前にすることができる。
【００６７】
[0074]制御信号５２８がアサートされると、反転された制御信号５３０は、キャパシタ５０８を制御端子３０４から減結合するためにスイッチ５１６を開き、キャパシタ５１２を電圧基準信号５０６から減結合するためにスイッチ５１４を開き、電流源５２４を制御端子３０４から減結合するためにスイッチ５２６を開くことができる。
【００６８】
[0075]制御信号５２８がディアサートされると、電子回路５００は、信号３０５の立下りエッジを生成することができる。ディアサートされると、制御信号５２８は、キャパシタ５０８を電圧基準信号５０４から減結合するためにスイッチ５１０を開き、キャパシタ５１２を制御端子３０４から減結合するためにスイッチ５１８を開き、電流源５２０を制御端子３０４から減結合するためにスイッチ５２２を開くことができる。また、反転された制御信号５３０は、キャパシタ５０８を制御端子３０４に結合するためにスイッチ５１６を閉じ、電流シンク５２４を制御端子３０４に結合するためにスイッチ５２６を閉じ、キャパシタ５１２を電圧基準信号５０６に結合するためにスイッチ５１４を閉じることができる。
【００６９】
[0076]説明したように、キャパシタ５０８は、スイッチングデバイス３０２の伝導閾値に関連付けられた（たとえば、これよりも若干高い）レベルに充電され得る。スイッチ５１６が閉じると、キャパシタ５０８は制御端子３０４に結合され、信号３０５を、伝導閾値に関連付けられたレベルに第１のスルーレートで急速に増加することができる。その後、電流シンク５２４はキャパシタ５０８を放電することができ、したがって、信号３０５は比較的遅いレートで立ち下がり、スイッチングデバイスはオフになる。
【００７０】
[0077]したがって、制御信号５２８がアサートされると、電子回路５００は、信号３０５を、図４Ａに示される信号３０５に類似したまたはこれと同じ様式で立ち上がらせることができる。制御信号５２８がディアサートされると、電子回路５００は、信号３０５を、図４Ｂに示される信号３０５に類似したまたはこれと同じ様式で立ち下がらせることができる。
【００７１】
[0078]上記で説明した実施形態は、２つのスルーレートを有する波形を発生させるように説明されている。本発明の他の実施形態は２つ以上のスルーレートを有する波形を発生し得ることが、当業者には理解されよう。たとえば、３つ以上のスルーレートを有する上昇または下降する波形が、スイッチングデバイスを制御するために使用され得る。追加または代替として、波形が上昇しているか下降しているかに応じた異なるスルーレートまたは期間によって異なるスルーレートを有する上昇または下降する波形が、スイッチングデバイスを制御するために使用され得る。
【００７２】
[0079]図６は、負荷を駆動するためのプロセス６００を示す流れ図である。ブロック６０２では、負荷を駆動するためのスイッチングデバイスが用意される。ブロック６０４では、スイッチ制御信号（たとえば図３の信号３０５）がリセットされる。制御信号は、信号を電圧レール（たとえば、図３Ｂの、信号を電圧源３７６にプルするスイッチ３７４によって）または接地（たとえば図３Ａのスイッチ３１６によって）にプルすることによってリセット可能である。ブロック６０６では、プロセス６００は、制御回路がスイッチングデバイスの伝導状態の変化を要求したかどうか判断する。制御回路（すなわち制御回路３１４）は、信号３１６をアサートまたはディアサートすることによって、伝導状態の変化を要求することができる。伝導状態の変化が要求される場合、プロセス６００は、ブロック６０８において、スイッチ制御信号（すなわち信号３０５）のレベルを、スイッチングデバイスの伝導閾値に関連付けられたレベルに第１のスルーレートで増加することができる。（たとえば、図４Ａおよび図４Ｂの、時刻Ｔ０とＴ１’の間、またはＴ０とＴ１”の間を参照されたい）。一実施形態では、プロセス６００が磁気センサ回路によって実施される場合、たとえば、センサが磁気ターゲットを検出したとき、制御状態の変化が要求されることがある。
【００７３】
[0080]次いで、プロセス６００は、ブロック６１０において、制御信号のレベルを、第２のレベルに第２のスルーレートで増加することができる。（たとえば、図４Ａおよび図４Ｂで、時刻Ｔ１の後または時刻Ｔ１”の後を参照されたい）。ブロック６１２では、プロセスは、スイッチングデバイスの伝導状態の変化が制御回路によって要求されているかどうか確認することができる。スイッチ伝導状態の変化が再び要求された場合、プロセスは、再びブロック６０４に進むことができる。一実施形態では、プロセス６００が磁気センサ回路によって実施される場合、たとえば、センサが磁気ターゲットを検出したとき、制御状態の変化が要求されることがある。
【００７４】
[0081]図３、図３Ａ、および図３Ｂは、スイッチングデバイスをｎチャネルＦＥＴとして示し、負荷はプルアップ回路として説明しているが、本発明を利用する代替実施形態は本開示の範囲に含まれる。たとえば、ｎチャネルＦＥＴはｐチャネルＦＥＴによって置き換え可能であり、プルアップ負荷回路はプルダウン負荷回路によって置き換え可能である。実施形態では、１つまたは複数のインダクタが、キャパシタ３０６（図３、図３Ａ、および図３ｂを参照されたい）またはキャパシタ５０８および５１２（図５を参照されたい）の代わりに使用されてもよいし、これと共に使用されてもよい。たとえば、インダクタは、抵抗にかかる電流を提供するために充電可能である。結果として発生する、抵抗にかかる電圧は、上記で説明したようにスイッチングデバイスを制御するために使用可能である。他の実施形態では、上記で説明したようにスイッチングデバイスを制御するために、ＲＬＣネットワークおよびＬＣ組合せが使用可能である。
【００７５】
[0082]さらに、本明細書で示す実施形態はキャパシタ３０６および電流源を使用して信号３０５を成形するが、他の方法も使用可能である。たとえば、信号３０５は、信号発生器、または上記で説明したように第１のスルーレートおよび第２のスルーレートを有する立上り信号および立下り信号を作成できる他の回路によって生成可能である。
【００７６】
[0083]上記で説明した信号は、本発明で利用できる信号の例である。たとえば、特定の信号が、たとえば電圧信号として説明されている場合、その信号は、さまざまな実施形態において、任意のタイプの適切な信号と置き換え可能である。適切な信号としては、アナログ信号、デジタル信号、論理信号、電圧信号、電流信号、伝送信号などがあり得る。
【００７７】
[0084]動作の際、本発明は、負荷を駆動しながら放射電気エミッションを減少させ、スイッチング遅延を減少させるために使用可能である。
【００７８】
[0085]本発明の例示的な実施形態について説明してきたが、ここで、その概念を組み込んだ他の実施形態も使用され得ることが当業者によって明らかになるであろう。本明細書に含まれる実施形態は、開示される実施形態に限定されるべきではなく、添付の特許請求の範囲の趣旨および範囲によってのみ限定されるべきである。本明細書に引用されるすべての公報および参考文献は、参照によりその全体が本明細書に明示的に組み込まれる。
【図１】
2016507955.tif 000003
【図２】
2016507955.tif 000004
【図３】
2016507955.tif 000005
【図３Ａ】
2016507955.tif 000006
【図３Ｂ】
2016507955.tif 000007
【図４Ａ】
2016507955.tif 000008
【図４Ｂ】
2016507955.tif 000009
【図５】
2016507955.tif 000010
【図６】
2016507955.tif 000011
【手続補正書】
【提出日】平成27年9月16日(2015.9.16)
【手続補正１】
【補正対象書類名】明細書
【補正対象項目名】００１２
【補正方法】変更
【補正の内容】
【００１２】
【図１】[0011]従来の出力ドライバ回路を示す概略図である。
【図２】[0012]図１のドライバ回路の出力を示すグラフである。
【図３】[0013]出力ドライバ回路の一実施形態の概略図である。
【図３Ａ】[0014]出力ドライバ回路の一実施形態の概略図である。
【図３Ｂ】[0015]出力ドライバ回路の一実施形態の概略図である。
【図３Ｃ】[0015.1]出力ドライバ回路の一実施形態の概略図である。
【図４Ａ】[0016]図３または図３Ａに示された出力ドライバ回路の実施形態によって発生され得る信号のグラフである。
【図４Ｂ】[0017]図３Ｂに示された出力ドライバ回路の実施形態によって発生され得る信号のグラフである。
【図５】[0018]出力ドライバ回路の一実施形態の概略図である。
【図６】[0019]負荷を駆動するためのプロセス６００を示す流れ図である。
【手続補正２】
【補正対象書類名】明細書
【補正対象項目名】００５２
【補正方法】変更
【補正の内容】
【００５２】
[0059]時刻Ｔ０では、制御回路３１４が制御信号３１６をディアサートし、このことが、スイッチ３１０および３１８を開き、スイッチ３０８を閉じて、キャパシタ３０６を制御端子３０４に結合する。キャパシタ３０６が、伝導閾値４０４に関連付けられたレベルに充電されるので、キャパシタ３０６を制御端子３０４に結合することによって、時刻Ｔ０とＴ１’の間に示されるように、信号３０５が伝導閾値のレベルまで急速に増加する。このことによって、スイッチングデバイス３０２が急速でスイッチング寸前になり、図２に示されるスイッチング遅延２１０が減少する。
【手続補正３】
【補正対象書類名】図面
【補正対象項目名】図３Ｃ
【補正方法】変更
【補正の内容】
【図３Ｃ】
2016507955.tif 000012
【国際調査報告】
2016507955.tif 000013
2016507955.tif 000014